(57)【要約】【課題】            磁気音の少ない静粛な、効率のよいコンデンサー駆動誘導電動機を得る。【解決手段】        速調コイル１を進相コンデンサー３と直列に繋いでいる補コイル４と同じスロット５に直列に接続して、主コイル２の巻数を減らすことなく、強ノッチ時の電流を少なくして強ノッチ時の効率の悪化を回避する。そして、ＬＣ発信により電流高調波として増幅されることを少なくする。また、補コイル４と同じスロット５に直列に速調コイル１を複数設ける。さらには、速調コイル１を補コイル４と逆方向に巻回す。【選択図】          図１
2006166648.tif 000002
【特許請求の範囲】
【請求項１】
速調コイルを進相コンデンサーと直列に繋いでいる補コイルと同じスロットに直列に接続したコンデンサー駆動誘導電動機。
【請求項２】
請求項１に記載のコンデンサー駆動誘導電動機であって、速調コイルを複数設けたコンデンサー駆動誘導電動機。
【請求項３】
請求項１又は請求項２のいずれかに記載のコンデンサー駆動誘導電動機であって、速調コイルを進相コンデンサーと直列に繋いでいる補コイルと同じ方向に巻回したコンデンサー駆動誘導電動機。
【請求項４】
請求項１又は請求項２のいずれかに記載のコンデンサー駆動誘導電動機であって、速調コイルを進相コンデンサーと直列に繋いでいる補コイルと逆方向に巻回したコンデンサー駆動誘導電動機。
【請求項５】
請求項１〜請求項４までのいずれかに記載のコンデンサー駆動誘導電動機であって、速調コイルの線径を補コイルより小さくしたコンデンサー駆動誘導電動機。
【請求項６】
速調コイルを進相コンデンサーと直列に繋いでいる補コイルと同じスロットに直列に接続したコンデンサー駆動誘導電動機で羽根を駆動させるようにした換気扇。
【発明の詳細な説明】
【技術分野】
【０００１】
本発明は、主コイルに並列に進相コンデンサーを接続したコンデンサー駆動誘導電動機及びコンデンサー駆動誘導電動機によって駆動される換気扇に関するものである。
【背景技術】
【０００２】
換気扇には多くコンデンサー駆動誘導電動機が用いられている。風量可変のものでは、タップの切替えで速調できるコンデンサー駆動誘導電動機が使われている。コンデンサー駆動誘導電動機の速調は、速調のための速調コイルを設け、所定の巻数毎にタップを設けたものが、特許文献１に開示されている。
【０００３】
【特許文献１】特開平０７−１２３６５９号公報
【発明の開示】
【発明が解決しようとする課題】
【０００４】
モータの巻線仕様による速調では、速調の差を大きくすると、巻線が増えてしまいモータサイズが大きくなる。Ｂ速調とも称される従来の速調方式は、主コイルと同じスロットに主コイルと直列に速調コイルを入れている。また、Ｓ速調とも称される従来の速調方式は、進相コンデンサーと直列に接続されている補コイルの途中から弱ノッチを取っている。Ｂ速調方式では、主コイルと同じスロットに速調コイルを巻き込むため、主コイルの巻数が減り、強ノッチ時の電流が大きくなり、強ノッチ時の効率が悪化するといった問題点がある。また、Ｓ速調方式では、主コイルと補コイルの電流バランスが崩れるため、電源で数％の電圧高調波が乗っても、ＬＣ発信により電流高調波として１０倍近く増幅し、大きな磁気音が発生する問題点がある。
【０００５】
本発明は、上記した課題を解決するためになされたものであり、その目的とするところは、磁気音の少ない静粛な、効率のよいコンデンサー駆動誘導電動機を得ることであり、そのコンデンサー駆動誘導電動機で羽根を駆動させる運転音の小さな換気扇を得ることである。
【課題を解決するための手段】
【０００６】
上記課題を解決するために本発明は、速調コイルを進相コンデンサーと直列に繋いでいる補コイルと同じスロットに直列に接続する手段を採用する。
【発明の効果】
【０００７】
本発明によれば、主コイルの巻数が減ることがなく、強ノッチ時の電流が大きくならず強ノッチ時の効率の悪化を回避することができる。そして、主コイルと補コイルの電流バランスも殆ど崩れず、ＬＣ発信により電流高調波として増幅されることも少なく、大きな磁気音が発生せず、静粛なコンデンサー駆動誘導電動機となる。
【発明を実施するための最良の形態】
【０００８】
本発明のコンデンサー駆動誘導電動機は速調コイルが、主コイルと並列に接続された進相コンデンサーと直列に繋がれている補コイルと同じスロットに直列に接続されている。これにより、主コイルのスロットには主コイルのみが巻かれ、主コイルの巻数が減ることがない。つまり、強ノッチ時の電流は大きくならず強ノッチ時の効率の悪化が回避される。また、弱ノッチ時の主コイルと補コイルの電流バランスも殆ど崩れず、ＬＣ発信により電流高調波として増幅されることも少なく、大きな磁気音が発生せず、静粛なコンデンサー駆動誘導電動機となる。このコンデンサー駆動誘導電動機で羽根を駆動させる換気扇では、運転騒音の小さい静粛性な換気扇となる。
【０００９】
実施の形態１．
図１は、本実施の形態のコンデンサー駆動誘導電動機を示す回路構成図、図２は、他の速調方式との特性を比較して示す説明図、図３は、換気扇の構成図、図４は換気扇に本コンデンサー駆動誘導電動機を適用したときの騒音特性を示す説明図である。
【００１０】
図１に示すようにこのコンデンサー駆動誘導電動機は、速調コイル１が、主コイル２と並列に接続された進相コンデンサー３と直列に繋がれている補コイル４と同じスロット５に直列に接続されている。これにより、主コイル２のスロット６には主コイル２のみが巻かれ、主コイル２の巻数が減ることがない。つまり、強ノッチ時の電流は大きくならず強ノッチ時の効率の悪化が回避される。また、弱ノッチ時の主コイル２と補コイル４の電流バランスも殆ど崩れず、ＬＣ発信により電流高調波として増幅されることも少なく、大きな磁気音が発生せず、静粛なコンデンサー駆動誘導電動機となる。
【００１１】
Ｓ速調方式、Ｂ速調方式と称される従来の方式と本実施の形態の速調方式について、電流高調波と強ノッチ時の効率を比較して示した図２でも明らかなように、強ノッチ時の効率低下を押さえた、低騒音の運転が実現する。このコンデンサー駆動誘導電動機で羽根７を駆動させる図３に示すような換気扇８では、図４に示すように運転騒音の小さい静粛性な換気扇８となる。図４は、ダクト用の換気扇８において、電源に電圧高調波３ｆを１％、５ｆを５％入れたときの電流高調波の大きさを、Ｓ速調方式、Ｂ速調方式と称される従来の方式と比較して示したもので、電源周波数が８０Ｈｚのとき、本方式ではＳ速調方式に対して高調波が１／８となり、約１８ｄＢの低騒音となる。
【００１２】
実施の形態２．
図５に示す本実施の形態は、速調コイルを複数設けたものであり、基本的には実施の形態１のものと同じである。従って、実施の形態１のものと同じ部分については、実施の形態１のものと同じ符号を付し、それらについての説明は省略する。
【００１３】
図５の回路構成図に示すように、本実施の形態のコンデンサー駆動誘導電動機は、速調コイル１が複数（例えば２個）設けられている。各速調コイル１からタップを取出すことにより多段の速調が可能である。これ以外の機能は実施の形態１と同じである。
【００１４】
なお、上記各実施の形態では速調コイル１を補コイル４と同じ方向に巻回しているが、補コイル４と逆方向に巻回しても良い。こうすることにより、磁界の反発が生じ、速調コイル１の巻数を少なくでき銅量が減少する。また、速調コイル１の線径を補コイル４より小さくすることにより、補コイル４への影響を小さくでき、低入力化と銅量の減少を図ることができる。
【図面の簡単な説明】
【００１５】
【図１】コンデンサー駆動誘導電動機を示す回路構成図である。(実施の形態1）
【図２】他の速調方式との特性を比較して示す説明図である。(実施の形態1）
【図３】換気扇の構成図である。(実施の形態1）
【図４】コンデンサー駆動誘導電動機を適用した換気扇の騒音特性を示す説明図である。(実施の形態１）
【図５】コンデンサー駆動誘導電動機を示す回路構成図である。(実施の形態２）
【符号の説明】
【００１６】
１  速調コイル、  ２  主コイル、  ３  進相コンデンサー、  ４  補コイル、  ５  スロット、  ７  羽根。
【図１】
2006166648.tif 000003
【図２】
2006166648.tif 000004
【図３】
2006166648.tif 000005
【図４】
2006166648.tif 000006
【図５】
2006166648.tif 000007